(57)【特許請求の範囲】
【請求項１】
表面に防食被覆層を施したコンクリート構造部材を複数連設一体化する際に、これの目地部に設けられる目地部構造であって、隣接するコンクリート構造部材の各防食被覆層の縁部に沿って各々一列に設けられる多数の係止孔と、各縁部の係止孔に挿入される二列に配設された多数の突起をその底面に備える帯状弾性防食蓋部材とからなり、前記隣接するコンクリート構造部材の各縁部に設けた係止孔に各列の突起を各々挿入することにより、前記帯状弾性防食蓋部材を前記目地部を覆って前記防食被覆層の表面に密着固定することを特徴とする防食被覆コンクリート構造部材の目地部構造。
【請求項２】
前記帯状弾性防食蓋部材の底面に設けた突起が、前記係止孔の断面より大きな断面の膨らみ部分を有することを特徴とする請求項１に記載の防食被覆コンクリート構造部材の目地部構造。
【請求項３】
前記帯状弾性防食蓋部材の底面に設けた二列の突起により挟まれる部分に、水膨潤性ゴムが取り付けられていることを特徴とする請求項１又は請求項２のいずれかに記載の防食被覆コンクリート構造部材の目地部構造。
【発明の詳細な説明】
【０００１】
【発明の属する技術分野】
本発明は、防食被覆コンクリート構造部材の目地部構造に関し、特に、表面に防食被覆を施したコンクリート構造部材を複数連設一体化する際に採用される目地部構造に関する。
【０００２】
【従来の技術】
例えば下水道などの腐食性の水に接するコンクリート構造物の防食方法としては、コンクリート表面に例えばエポキシ樹脂等の樹脂材料を塗布したり、コンクリート構造物を構成するセグメント等のプレキャスト構造部材の製造時に、コンクリートの表面部分の型枠に防食性の樹脂パネルや樹脂シートを取付けてコンクリートを打設し、あるいは打設したコンクリートの硬化後に樹脂材料を塗布したりすることによってコンクリート表面を防食被覆する方法が採用されている。
【０００３】
また、現場打コンクリートによりコンクリート構造物を形成する場合においても、その表面に樹脂材料などにより防食被覆層を形成して防食する方法が採用されている。
【０００４】
そして、シールドトンネルの覆工体などのコンクリート構造物は、コンクリートセグメント等のプレキャスト構造部材を複数連設一体化したり、現場打ちコンクリートを打ち継いで形成してゆくものであるため、隣接するこれらのコンクリート構造部材の接合部にもまた現場において防食被覆を施す必要が生じることになる。
【０００５】
そしてかかる接合部の防食方法としては、従来より、セグメント等のコンクリート構造部材を形成した後、目地部に樹脂材料を充填する方法や、合成樹脂製の防食被覆材同士を溶接により一体化する方法などが採用されていた。
【０００６】
【発明が解決しようとする課題】
しかしながら、かかる従来の防食被覆コンクリート構造部材の接合部の防食方法によれば、樹脂材料を目地部に充填すなわちコーキングする方法では、コンクリート構造部材の接合部分の清掃や乾燥に相当の時間を必要とし、また、樹脂材料が硬化するまでに長期の養生期間を必要とするとともに、コーキング作業に多くの手間を必要とするという課題があった。
【０００７】
また、防食被覆材同士を溶接する方法によれば、施工現場に地下水などの水分が存在すると溶接能率が低下するとともに、必要な電源の確保などその準備や施工に多くの手間を必要とすることになるという課題があった。
【０００８】
そこで、この発明は、このような従来の課題に鑑みてなされたもので、多くの時間や手間を必要とすることなく、防食被覆を施したコンクリート構造部材の接合部を容易に防食被覆することのできる、防食被覆コンクリート構造部材の目地部構造を提供することを目的とするものである。
【０００９】
【課題を解決するための手段】
この発明は、かかる目的を達成するためになされたもので、その要旨は、表面に防食被覆層を施したコンクリート構造部材を複数連設一体化する際に、これの目地部に設けられる目地部構造であって、隣接するコンクリート構造部材の各防食被覆層の縁部に沿って各々一列に設けられる多数の係止孔と、各縁部の係止孔に挿入される二列に配設された多数の突起をその底面に備える帯状弾性防食蓋部材とからなり、前記隣接するコンクリート構造部材の各縁部に設けた係止孔に各列の突起を各々挿入することにより、前記帯状弾性防食蓋部材を前記目地部を覆って前記防食被覆層の表面に密着固定することを特徴とする防食被覆コンクリート構造部材の目地部構造にある。
【００１０】
また、この発明の目地部構造は、前記帯状弾性防食蓋部材の底面に設けた突起に、前記係止孔の断面より大きな断面の膨らみ部分を設けることが好ましい。
【００１１】
さらに、この発明の目地部構造は、前記帯状弾性防食蓋部材の底面に設けた二列の突起により挟まれる部分に、水膨潤性ゴムを取り付けることが好ましい。
【００１２】
ここで、上記複数連設一体化されるコンクリート構造部材としては、例えばコンクリートセグメント等のプレキャスト製のコンクリートの他、現場打ちコンクリートにおいて区画分けされて打ち継がれる、各区画毎に硬化するコンクリートをも含むものである。
【００１３】
そして、この発明の防食被覆コンクリート構造部材の目地部構造によれば、隣接するコンクリート構造部材の各防食被覆層の縁部に沿って設けられる各一列、合計二列の係止孔に対して、帯状弾性防食蓋部材の底面の二列の突起を、例えばたたき込むようにして差し込んでゆけば、各突起が各係止孔に挿入されて各々の係止孔に密着係止され、容易に抜け出さない状態となることにより、帯状弾性防食蓋部材を、目地部を覆って防食被覆層の表面に強固に密着固定させることになる。
【００１４】
また、帯状弾性防食蓋部材の底面に設けた突起に、係止孔の断面より大きな断面の膨らみ部分を設けておけば、各突起の各係止孔からの抜け出しをより確実に防止することができる。
【００１５】
さらに、帯状弾性防食蓋部材の底面に設けた二列の突起によって挟まれる部分に、水膨潤性ゴムを取り付けておけば、隣接するコンクリート構造部材の接合部ないしは目地部における水密性をより確実に確保することができる。
【００１６】
【発明の実施の形態】
以下、この発明の好ましい実施形態を添付図面を参照して詳細に説明する。この実施形態の防食被覆コンクリート構造部材の目地部構造は、図１（ａ）及び（ｂ）に示すようなシールドトンネル５０の覆工体５１を構成するコンクリート構造部材としてのコンクリートセグメント１０の接合部１２における目地部１３に設けられるものである。
【００１７】
また、この実施形態によれば、シールドトンネル５０は下水道用のトンネルであって腐食性の水に接するものであるため、各セグメント１０の内周面を、これの製造時に予め防食性の防食被覆層２３によって覆うとともに（図２参照）、複数のセグメント１０を連接一体化して覆工体５１を形成する際に、隣接するセグメント１０間の接合部１２にも高い防食性、及び止水性を付与するために、この発明の防食被覆コンクリート構造部材の目地部構造を採用したものである。
【００１８】
すなわち、この実施形態の目地部構造１１は、図２に示すように、隣接するセグメント１０間の接合部１２の目地部１３に設けられるものであって、隣接するセグメント１０の各防食被覆層２３の縁部２１に沿って各々一列に設けられる多数の係止孔１４と、各縁部２１の係止孔１４に挿入される二列に配設された多数の突起１７をその底面に備える防食蓋部材２０とからなり、隣接するセグメント１０の各縁部２１に設けた係止孔１４に各列の突起１７を各々挿入することにより、目地部１３を覆って防食蓋部材２０を接合部１２における防食被覆層２３の表面に密着固定することによって構成されている。
【００１９】
ここで、コンクリートセグメント１０は、予め工場等において製作型枠内にコンクリートを打設硬化させて製作される矩形円弧状のプレキャストコンクリート製のもので、セグメント１０の内周面側に配置される製作型枠の表面に例えば樹脂材料からなるシート部材２２を敷設配置した後にコンクリートを打設することにより、各セグメント１０の内周面に容易に防食被覆層２３を貼着形成することが可能である。
【００２０】
また、かかる防食被覆層２３を構成するシート部材２２は、防食性に富んだ、ポリエチレン、ポリプロピレン等の樹脂材料からなるもので、例えばこれの裏面に多数の突起を有し、これをアンカーとしてセグメント１０の内周面のコンクリート中に埋設することにより、当該内周面に防食被覆層２３が強固に密着固定されることになる。
【００２１】
さらに、各セグメント１０における防食被覆層２３の縁部２１は、図３に拡大して示すように、その厚さが大きく形成されていて、この縁部２１に沿って各々一列に多数の係止孔１４が設けられている（図４参照）。すなわち、この係止孔１４は、直径５ｍｍ程度の円形断面を有するもので、防食被覆層２３の縁部２１の厚さの３分の２程度の深さを有し、隣接するセグメント１０の縁部２１に形成した各一列の多数の係止孔１４が、目地部１３を挟んで対称に配置されることになる。
【００２２】
一方、この実施形態の目地部構造１１を構成する防食蓋部材２０は、例えば高密度ポリエチレン、ポリプロピレン等の樹脂材料からなる、防食性に富むとともに弾性を備え、適度な硬さと復元力を有する帯状の部材であって、図３に拡大して示すように、平坦なベルト状の蓋部本体１６と、この蓋部本体１６の底面から突出する、蓋部本体１６の延長方向に連設しつつ二列に配置された多数の突起１７とからなり、各突起１７は、防食被覆層２３の縁部２１に設けた係止孔１４と略同様の大きさの円形断面を有していて、各係止孔１４の内面に密着するようにして差し込み挿入されるとともに、二列に配設された多数の突起１７は、隣接するセグメント１０の端面を当接させた場合に各縁部２１に形成した各一列の係止孔１４の間の間隔と一致する間隔で配設されていることにより、二列の突起１７を隣接する縁部２１の各一列の係止孔１４に各々合致させて、係止孔１４に容易に挿入させることができるようになっている。
【００２３】
また、この実施形態によれば、防食蓋部材２０に設けられた各突起１７が、係止孔１４の断面より大きな断面の球状の膨らみ部分１８を有しているとともに、二列の突起により挟まれる部分における蓋部本体１６の底面には、水膨潤性ゴム１９が取り付けられている。
【００２４】
そして、この実施形態の目地部構造１１は、隣接するセグメント１０の各縁部２１に設けた係止孔１２に防食蓋部材２０の突起１７を各々挿入することにより、目地部１３を覆って接合部１２における防食被覆層２３の表面に防食蓋部材２０を密着固定することによって構成される。
【００２５】
すなわち、この実施形態によれば、各セグメント１０の製作時にこれの端部内側の適宜箇所に設けたボルトボックスなどを介して、隣接するセグメント１０を締結固定したら、これらの間の目地部１３に、例えばエポキシ樹脂等によりコーキング２５を施すとともに、隣接するセグメント１０の接合部１２に表出する各一列合計２列の嵌合孔１４に対し、防食蓋部材２０の底面の二列の突起１７を各々沿わせるようにして、当該防食蓋部材２０を隣接するセグメント１０の縁部２１に跨って配置した後、例えばたたき込むようにして各突起１７を各嵌合孔１４に差し込んで行けば、各突起１７が各係止孔１４に挿入されて各々の係止孔１４に密着係止され、容易に抜け出さない状態となることにより、防食蓋部材２０が目地部１３を覆ってセグメント１０の防食被覆層２３の表面に容易に密着固定し、これによって止水性、及び防食性に富んだ目地部構造１１が隣接するセグメント１０の接合部１２に容易に形成されることになる。
【００２６】
また、この実施形態によれば、防食蓋部材２０の底面に設けた突起１７に、球状の膨らみ部分１８が設けられていることにより、防食被覆層２３の縁部２１の復元力によって、各係止孔１４が各突起１７を握るようにしてつかむことになるので、各突起１７の各係止孔１４からの抜け出しをより確実に防止することが可能になる。
【００２７】
さらに、防食蓋部材２０の底面に設けた二列の突起１７によって挟まれる部分に、水膨潤性ゴム１９を取り付けておけば、目地部１３を覆って防食蓋部材２０とセグメント１０の防食被覆層２３との間に挟み込まれる当該水膨潤性ゴム１９が水を吸収して膨潤することにより、さらに確実な水密性を得ることができる。
【００２８】
なお、この発明は、上記実施形態の実施の態様のものに限定されるものではなく、各請求項に記載された構成の範囲内において種々に変更して採用することができる。例えば、水膨潤性ゴムは必ずしも設ける必要はなく、また、この発明の目地部構造は、セグメントの接合部に限定されされることなく、その他のプレキァストコンクリート部材の接合部に採用することができる他、コンクリート壁やコンクリートスラブなどの現場打ちコンクリートの打継目に対しても採用することができる。
【００２９】
【発明の効果】
以上詳細に説明したように、この発明の防食被覆コンクリート構造部材の目地部構造によれば、隣接するコンクリート構造部材の各防食被覆層の縁部に沿って各々一列に設けられる多数の係止孔と、各縁部の係止孔に挿入される二列に配設された多数の突起をその底面に備える帯状弾性防食蓋部材とからなるので、隣接するコンクリート構造部材の各縁部に設けた各一列合計二列の係止孔に前記二列の突起を挿入するだけの作業によって、帯状弾性防食蓋部材を前記目地部を覆って防食被覆層の表面に容易に密着固定することができ、これによって多くの時間や手間を必要とすることなく、防食被覆を施したコンクリート構造部材の接合部を容易に防食被覆することができる。
【００３０】
また、帯状弾性防食蓋部材の底面の二列の突起によって挟まれる部分に、水膨潤性ゴムを取り付けておけば、かかる接合部ないしは目地部における水密性をより確実に確保することができる。
【図面の簡単な説明】
【図１】（ａ）及び（ｂ）は、この発明の一実施形態に係る目地部構造を採用したシールドトンネルのセグメント覆工体を説明する、（ａ）は正面図、（ｂ）は（ａ）をＡ−Ａから見た内面図である。
【図２】この発明の一実施形態に係る目地部構造を示す断面図である。
【図３】この発明の一実施形態に係る目地部構造を説明する拡大断面図である。
【図４】防食被覆層の縁部における係止孔の配置状況を示す図３をＢ−Ｂから見た平面図である。
【符号の説明】
１０  セグメント（コンクリート構造部材）
１１  目地部構造
１２  接合部
１３  目地部
１４  係止孔
１６  蓋部本体
１７  突起
１８  膨らみ部分
１９  水膨潤性ゴム
２０  防食蓋部材
２１  縁部
２３  防食被覆層
５０  シールドトンネル
５１  覆工体
【図１】
0003852180.tif 000002
【図２】
0003852180.tif 000003
【図３】
0003852180.tif 000004
【図４】
0003852180.tif 000005